(57)【要約】【課題】  情報記録媒体にデータ記録中に予測不可能な非正常的事態により、ドライブによる欠陥管理が非正常的に終了しているか否かが容易に分かる情報記録媒体の欠陥管理方法、情報記録媒体ドライブ装置、及びその情報記録媒体を提供する。【解決手段】  本発明による情報記録媒体の欠陥管理方法は、（ａ）臨時欠陥管理に関する情報を含む臨時欠陥管理構造のアップデートが開始されれば、臨時欠陥管理構造のアップデートサイクルがオープン状態であることを表す第１状態情報を記録するステップと、（ｂ）情報記録媒体に／からデータを記録／再生することによって臨時欠陥管理構造をアップデートするステップと、（ｃ）臨時欠陥管理構造のアップデートが終了すれば、臨時欠陥管理構造のアップデートサイクルがクローズ状態であることを表す第２状態情報を記録するステップとを含む。【選択図】      図７
2010205408.tif 000002
【特許請求の範囲】
【請求項１】
情報記録媒体の欠陥管理のための方法において、
ドライブ装置を備え、追記型媒体の欠陥管理を行うための装置が、
前記情報記録媒体の、欠陥ブロックの位置情報と前記欠陥ブロックを交換するための交換ブロックの位置情報とを含む臨時欠陥リスト（ＴＤＦＬ）、及び前記臨時欠陥リスト（ＴＤＦＬ）の位置情報と前記臨時欠陥リストのアップデート状態を示す状態情報とを含む臨時欠陥管理情報（ＴＤＤＳ）を前記情報記録媒体の臨時欠陥管理領域（ＴＤＭＡ）に記録するステップと、
前記臨時欠陥リストのアップデートの状態を、前記臨時欠陥管理情報に記録された状態情報を参照することにより判別するステップと、を含み、
前記臨時欠陥管理情報は、前記臨時欠陥リストのアップデートが完了されていない状態であることを示す第１の前記状態情報、及び前記臨時欠陥リストのアップデートが完了されている状態であることを示す第２の前記状態情報を含み、
前記臨時欠陥管理領域に記録された複数の臨時欠陥リストは、それぞれが臨時欠陥管理領域内の異なる場所に記録され、
前記臨時欠陥管理領域に記録された複数の臨時欠陥管理情報は、それぞれが臨時欠陥管理領域内の異なる場所に記録され、
前記臨時欠陥管理領域に記録された最後の臨時欠陥リスト及び臨時欠陥管理情報は、前記情報記録媒体の最終化時に、前記情報記録媒体のリードイン領域に配置された欠陥管理領域（ＤＭＡ）に記録されることを特徴とする方法。
【請求項２】
情報記録媒体に／からデータを記録／再生するピックアップ部と、
前記情報記録媒体の、欠陥ブロックの位置情報と前記欠陥ブロックを交換するための交換ブロックの位置情報とを含む臨時欠陥リスト（ＴＤＦＬ）、及び前記臨時欠陥リスト（ＴＤＦＬ）の位置情報と前記臨時欠陥リストのアップデート状態を示す状態情報とを含む臨時欠陥管理情報（ＴＤＤＳ）を前記情報記録媒体の臨時欠陥管理領域（ＴＤＭＡ）に記録するように、前記ピックアップ部を制御する制御部を備え、
前記臨時欠陥管理情報は、前記臨時欠陥リストのアップデートが完了されていない状態であることを示す第１の前記状態情報、及び前記臨時欠陥リストのアップデートが完了されている状態であることを示す第２の前記状態情報を含み、
前記臨時欠陥リストのアップデートの状態を、前記臨時欠陥管理情報に記録された状態情報を参照することにより判別し、
複数の臨時欠陥リストを、臨時欠陥管理領域内の異なる場所に記録し、
複数の臨時欠陥管理情報を、臨時欠陥管理領域内の異なる場所に記録し、
前記臨時欠陥管理領域に記録された最後の臨時欠陥リスト及び臨時欠陥管理情報を、前記情報記録媒体の最終化時に、前記情報記録媒体の欠陥管理領域（ＤＭＡ）に記録することを特徴とするドライブ装置。
【請求項３】
リードイン領域、ユーザデータ領域及びリードアウト領域が設けられた情報記録媒体において、
前記情報記録媒体の、欠陥ブロックの位置情報と前記欠陥ブロックを交換するための交換ブロックの位置情報とを含む臨時欠陥リスト（ＴＤＦＬ）、及び前記臨時欠陥リスト（ＴＤＦＬ）の位置情報と前記臨時欠陥リストのアップデート状態を示す状態情報とを含む臨時欠陥管理情報（ＴＤＤＳ）を含んだ臨時欠陥管理構造（ＴＤＭＳ）が記録された臨時欠陥管理領域（ＴＤＭＡ）を有し、
前記臨時欠陥管理情報は、前記臨時欠陥リストのアップデートが完了されていない状態であることを示す第１の前記状態情報、及び前記臨時欠陥リストのアップデートが完了されている状態であることを示す第２の前記状態情報を含み、
前記臨時欠陥管理領域に記録された複数の臨時欠陥リストは、それぞれが臨時欠陥管理領域内の異なる場所に記録され、
前記臨時欠陥管理領域に記録された複数の臨時欠陥管理情報は、それぞれが臨時欠陥管理領域内の異なる場所に記録され、
ドライブ装置を備え、追記型媒体の欠陥管理を行うための装置により当該情報記録媒体が再生されたとき、前記臨時欠陥リストのアップデートの状態は、前記臨時欠陥管理情報に記録された状態情報を参照することにより判別され、
前記追記型媒体の欠陥管理を行うための装置により当該情報記録媒体が最終化されたとき、前記臨時欠陥管理領域に記録された最後の臨時欠陥管理構造の前記臨時欠陥リスト及び前記臨時欠陥管理情報は、前記リードイン領域に配置された欠陥管理領域（ＤＭＡ）に記録されることを特徴とする情報記録媒体。
【請求項４】
非正常的なイベントによって情報記録媒体の欠陥管理が非正常的に終了しているか否かを決定する方法において、
ドライブ装置を備え、追記型媒体の欠陥管理を行うための装置が、
前記情報記録媒体の、欠陥ブロックの位置情報と前記欠陥ブロックを交換するための交換ブロックの位置情報とを含む臨時欠陥リスト（ＴＤＦＬ）、及び前記臨時欠陥リスト（ＴＤＦＬ）の位置情報と前記臨時欠陥リストのアップデート状態を示す状態情報とを含む臨時欠陥管理情報（ＴＤＤＳ）を前記情報記録媒体の臨時欠陥管理領域（ＴＤＭＡ）に記録するステップと、
前記臨時欠陥リストのアップデートの状態を、前記臨時欠陥管理情報に記録された状態情報を参照することにより判別するステップと、を含み、
前記臨時欠陥管理情報は、前記臨時欠陥リストのアップデートが完了されていない状態であることを示す第１の前記状態情報、及び前記臨時欠陥リストのアップデートが完了されている状態であることを示す第２の前記状態情報を含み、
前記臨時欠陥管理領域に記録された複数の臨時欠陥リストは、それぞれが臨時欠陥管理領域内の異なる場所に記録され、
前記臨時欠陥管理領域に記録された複数の臨時欠陥管理情報は、それぞれが臨時欠陥管理領域内の異なる場所に記録され、
前記臨時欠陥管理領域に記録された最後の臨時欠陥リスト及び臨時欠陥管理情報は、前記情報記録媒体の最終化時に、前記情報記録媒体の欠陥管理領域（ＤＭＡ）に記録されることを特徴とする方法。
【請求項５】
ローディングされた情報記録媒体に／からデータを記録／再生するピックアップ部と、
前記情報記録媒体の、欠陥ブロックの位置情報と前記欠陥ブロックを交換するための交換ブロックの位置情報とを含む臨時欠陥リスト（ＴＤＦＬ）、及び前記臨時欠陥リスト（ＴＤＦＬ）の位置情報と前記臨時欠陥リストのアップデート状態を示す状態情報とを含む臨時欠陥管理情報（ＴＤＤＳ）が記録された臨時欠陥管理領域（ＴＤＭＡ）を前記情報記録媒体に再生するように、前記ピックアップ部を制御する制御部を備え、
前記臨時欠陥管理情報は、前記臨時欠陥リストのアップデートが完了されていない状態であることを示す第１の前記状態情報、及び前記臨時欠陥リストのアップデートが完了されている状態であることを示す第２の前記状態情報を含み、
前記臨時欠陥リストのアップデートの状態を、前記臨時欠陥管理情報に記録された状態情報を参照することにより判別し、
前記臨時欠陥管理領域に記録された複数の臨時欠陥リストは、それぞれが臨時欠陥管理領域内の異なる場所に記録され、
前記臨時欠陥管理領域に記録された複数の臨時欠陥管理情報は、それぞれが臨時欠陥管理領域内の異なる場所に記録され、
前記情報記録媒体の欠陥管理領域（ＤＭＡ）には、前記情報記録媒体の最終化時に、前記臨時欠陥管理領域の最後の臨時欠陥リスト及び臨時欠陥管理情報が記録されていることを特徴とするドライブ装置。
【発明の詳細な説明】
【技術分野】
【０００１】
本発明は、情報記録媒体の欠陥管理方法、情報記録媒体ドライブ装置及びその情報記録媒体に関する。
【背景技術】
【０００２】
欠陥管理とは、情報記録媒体のユーザデータ領域に記録したユーザデータに欠陥が発生したときに、欠陥が発生した部分に記録されたユーザデータをさらに記録し、欠陥発生によるデータ損失を防止することを指す。
【０００３】
従来、欠陥管理は、線形置換を利用した欠陥管理方法と、飛び越し置換を利用した欠陥管理方法とに大別される。線形置換とは、ユーザデータ領域に欠陥が発生すれば、この欠陥領域をデータ領域に設けられたスペア領域の欠陥が発生していない領域に置換することをいう。飛び越し置換とは、欠陥が発生した領域は使用せずに飛び越した後、欠陥が発生していない領域を順次に使用することをいう。
【０００４】
線形置換方式及び飛び越し置換方式は、ＤＶＤ−ＲＡＭ／ＲＷなど反復記録が可能であってランダムアクセス方式による記録が可能なディスクに対して主に適用されている。
【０００５】
ＷＯＲＭ（ライトワンスリードメニュー）型情報記録媒体（以下、追記型媒体という）の場合には、同じ位置にデータの反復記録が不可能であり、限定された記録容量を有する媒体の特性上、効率的な欠陥管理が非常に重要である。最近には、ドライブによる追記型媒体の欠陥管理を具現するための方案が考慮されている。
【０００６】
追記型媒体の欠陥管理方法をさらに詳細に説明すれば、ドライブは、記録後検証（べリファイアフターライト）方式によって所定単位でデータを追記型媒体に記録した後、記録されたデータを検証することによって欠陥が発生した追記型媒体上の位置を捜し出す。ドライブは、欠陥が発生した位置に記録されたデータをさらにスペア領域に記録し、欠陥が発生した位置と、新しく代替されたスペア領域の位置とを知らせる臨時欠陥リスト（ＴＤＦＬ：テンポラリディフェクトリスト）及びそのＴＤＦＬが記録された位置を知らせる臨時欠陥管理情報（ＴＤＤＳ）を生成する。ＴＤＦＬ及びＴＤＤＳを合わせて臨時欠陥管理構造（ＴＤＭＳ：テンポラリディフェクトマネージメントストラクチャ）という。
【０００７】
ドライブは、生成されたＴＤＦＬまたはＴＤＤＳをメモリに保存しておいて所定分量集め、追記型媒体に設けられた臨時欠陥管理領域（ＴＤＭＡ：テンポラリディフェクトマネージメントエリア）に記録する。追記型媒体にデータを記録し続けることによってＴＤＭＳはアップデートされる。
【０００８】
追記型媒体にそれ以上データを記録できないか、またはユーザがそれ以上追記型媒体にデータ記録を願わない場合、追記型媒体は、最終化（ファイナライゼーション）される。追記型媒体の最終化時に、最終的にＴＤＭＡに記録された最終的に有効なＴＤＭＳを欠陥管理領域（ＤＭＡ：ディフェクトマネージメントエリア）にコピーする。
【０００９】
しかし、停電などの事由によってドライブに供給される電力が不通になるというような非正常的な事態が発生した場合、ドライブによる情報記録媒体の欠陥管理が正しく行われないという問題がある。すなわち、追記型媒体にデータを記録することによって生成されたＴＤＦＬまたはＴＤＤＳをＴＤＭＡに記録する前に、ドライブが停電により電源が切れたりするならば、ＴＤＭＳが正しくアップデートされない。さらに、パワーダウン後にデータを記録するために、ドライブにさらにその追記型媒体がローディングされる場合、ドライブは、以前にその追記型媒体を使用しているうちにパワーダウンが発生しているか否かが分からないので、適切に対処できないという問題がある。
【発明の概要】
【発明が解決しようとする課題】
【００１０】
よって、本発明が解決しようとする技術的課題は、情報記録媒体にデータ記録中に予測不可能な非正常的事態により、ドライブによる欠陥管理が非正常的に終了しているか否かが容易に分かる情報記録媒体の欠陥管理方法を提供するところにある。
【００１１】
本発明が解決しようとする他の技術的課題は、情報記録媒体にデータ記録中に予測不可能な事故により、ドライブによる欠陥管理が非正常的に終了しているか否かが容易に分かるドライブ装置を提供するところにある。
【００１２】
本発明が解決しようとするまた他の技術的課題は、データ記録中に予測不可能な事故により、ドライブによる欠陥管理が非正常的に終了しているか否かが容易に分かる情報記録媒体を提供するところにある。
【課題を解決するための手段】
【００１３】
前記課題を解決するために、本発明による情報記録媒体の欠陥管理方法は、臨時欠陥管理に関する情報を含むＴＤＭＳのアップデートが開始されれば、前記ＴＤＭＳのアップデートサイクルがオープン状態であることを表す第１状態情報を記録するステップと、前記情報記録媒体に／からデータを記録／再生することによってＴＤＭＳをアップデートするステップと、前記ＴＤＭＳのアップデートが終了すれば、前記ＴＤＭＳのアップデートサイクルがクローズ状態であることを表す第２状態情報を記録するステップとを含む。
【００１４】
また、前記第１状態情報は、ＴＤＭＳアップデートサイクルオープン命令、またはデータ記録または再生命令によって記録可能である。
【００１５】
また、前記アップデートのステップは、アップデートされた前記ＴＤＭＳと関連して前記第１状態情報を記録するステップを含むことができる。
【００１６】
また、前記第２状態情報は、前記情報記録媒体のイジェクト命令によって記録可能である。
【００１７】
前記課題を解決するために、本発明の他の側面による情報記録媒体の欠陥管理方法は、前記情報記録媒体に／からデータを記録／再生することによって情報のアップデートが開始されれば、前記情報のアップデートサイクルがオープン状態であることを表す第１状態情報を、前記情報記録媒体の領域に記録するステップと、前記情報記録媒体に／からデータを記録／再生することによって発生する前記情報を、前記情報記録媒体に記録してアップデートするステップと、前記情報のアップデートが終了すれば、前記情報のアップデートサイクルがクローズ状態であることを表す第２状態情報を前記領域に記録するステップとを含む。
【００１８】
前記他の課題を解決するために、本発明の他の側面によるドライブ装置は、ローディングされた情報記録媒体に／からデータを記録／再生するピックアップ部と、臨時欠陥管理に関する情報を含むＴＤＭＳのアップデートが開始されれば、前記ＴＤＭＳのアップデートサイクルがオープン状態であることを表す第１状態情報を前記情報記録媒体に設けられた領域に記録し、前記情報記録媒体に／からデータを記録／再生することによってＴＤＭＳをアップデートし、前記ＴＤＭＳのアップデートが終了すれば、前記ＴＤＭＳのアップデートサイクルがクローズ状態であることを表す第２状態情報を前記領域に記録するように、前記ピックアップ部を制御する制御部とを備える。
【００１９】
また、前記制御部は、ＴＤＭＳアップデートサイクルオープン命令、またはデータ記録または再生命令により、前記第１状態情報を前記所定領域に記録するように、前記ピックアップ部を制御できる。
【００２０】
また、前記制御部は、前記情報記録媒体に／からデータを記録／再生することによって前記ＴＤＭＳをアップデートする場合、アップデートされた前記ＴＤＭＳと関連して前記第１状態情報を前記領域に記録するように、前記ピックアップ部を制御できる。
【００２１】
また、前記制御部は、前記情報記録媒体のイジェクト命令またはＴＤＭＳアップデートサイクルクローズ命令により、前記第２状態情報を前記領域に記録するように、前記ピックアップ部を制御できる。
【００２２】
前記他の課題を解決するために、本発明によるドライブ装置は、ローディングされた情報記録媒体に／からデータを記録／再生するピックアップ部と、前記情報記録媒体に／からデータを記録／再生することによって情報のアップデートが開始されれば、前記情報のアップデートサイクルがオープン状態であることを表す第１状態情報を、前記情報記録媒体の領域に記録し、前記情報記録媒体に／からデータを記録／再生することによって発生する前記情報を、前記情報記録媒体に記録してアップデートし、前記情報のアップデートが終了すれば、前記情報のアップデートサイクルがクローズ状態であることを表す第２状態情報を前記領域に記録するように、前記ピックアップ部を制御する制御部とを備える。
【００２３】
前記さらに他の課題を解決するために、本発明による情報記録媒体は、リードイン領域、ユーザデータ領域及びリードアウト領域が設けられた情報記録媒体において、臨時欠陥管理に関する情報を含むＴＤＭＳ情報及び前記ＴＤＭＳのアップデートサイクルがオープン状態であるかクローズ状態であるかを表すＴＤＭＳのアップデートサイクル状態情報が記録されたことを特徴とする。
【００２４】
また、前記ＴＤＭＳは、ＴＤＤＳ及びＴＤＦＬを含み、前記ＴＤＭＳのアップデートサイクル状態情報は、前記ＴＤＤＳに含まれて記録可能である。
【００２５】
また、前記リードイン領域、ユーザデータ領域またはリードアウト領域のうち少なくとも１つの領域に少なくとも１つのＴＤＭＡが設けられ、前記ＴＤＭＳ及び前記ＴＤＭＳのアップデートサイクル状態情報は、前記ＴＤＭＡに記録可能である。
【００２６】
前記さらに他の課題を解決するために、本発明の他の側面による情報記録媒体は、データの記録／再生と関連した情報であり、データの記録／再生中に生成された情報と、前記情報のアップデートサイクルがオープン状態であるかクローズ状態であるかを表すアップデートサイクル状態情報とが該情報と関連して記録されたことを特徴とする。
【００２７】
前記さらに他の課題を解決するために、本発明は、非正常的な事態によって情報記録媒体にデータの記録が非正常的に終了しているか否かを決定する方法を提供し、前記方法は、ＴＤＭＳのアップデートが完了するとき、前記ＴＤＭＳのアップデートサイクルがクローズされているか否か表す第２状態情報を読み取るステップを含み、ＴＤＭＳのアップデートサイクルがオープンになっていることを表す第１状態情報は、臨時欠陥管理に関する情報を記録している前記ＴＤＭＳのアップデート開始時に記録され、前記ＴＤＭＳは、データが情報記録媒体に／から記録／再生されるときにアップデートされる。
【発明の効果】
【００２８】
本発明によれば、情報記録媒体にデータ記録中に予測不可能な非正常的事態により、ドライブによる欠陥管理が非正常的に終了しているか否かが容易に分かる情報記録媒体の欠陥管理方法、情報記録媒体ドライブ装置、及びその情報記録媒体を提供することができる。
【図面の簡単な説明】
【００２９】
【図１】本発明による単一記録層追記型媒体のデータ構造を表す図である。
【図２】ＴＤＭＡに記録された情報の一例を表す図である。
【図３】ＴＤＤＳのデータ構造の一例を表す図である。
【図４】本発明による追記型媒体の欠陥管理を行うための装置のブロック図である。
【図５】図４に図示された本発明による追記型媒体の欠陥管理を行うための装置が具現されたドライブのブロック図である。
【図６】本発明による追記型媒体の欠陥管理のための状態図である。
【図７】本発明による情報記録媒体の欠陥管理方法のフローチャートである。
【発明を実施するための形態】
【００３０】
以下、添付された図面を参照し、本発明による望ましい実施例を詳細に説明する。
【００３１】
本実施例では、情報記録媒体として追記型媒体の場合を例に、本発明による欠陥管理について説明する。
【００３２】
図１は、本発明による欠陥管理のための単一記録層の追記型媒体のデータ構造を表す図である。図１を参照するに、単一記録層追記型媒体にはリードイン領域、データ領域及びリードアウト領域が設けられている。リードイン領域には、欠陥管理領域であるＤＭＡ１及びＤＭＡ２、記録条件Ｔｅｓｔ領域、Ｐｒｉｍａｒｙ  ＴＤＭＡ及びドライブ情報領域が設けられている。
【００３３】
データ領域には、Ｓｐａｒｅ  Ａｒｅａ１及びＳｐａｒｅ  Ａｒｅａ２、Ｓｅｃｏｎｄａｒｙ  ＴＤＭＡ及びユーザデータ領域が設けられている。
【００３４】
リードアウト領域には、欠陥管理領域であるＤＭＡ３及びＤＭＡ４が設けられている。
【００３５】
普通、書き換え型媒体には、欠陥管理領域（ＤＭＡ）があるだけであってＴＤＭＡを置いていないが、追記型媒体の場合には、媒体の特性を考慮してＴＤＭＡを別途に割り当てる。
【００３６】
さらに詳細に説明すれば、追記型媒体の特性上、すでにデータが記録された位置に再びデータを記録できないので、データ記録中に新しく発生した欠陥情報をアップデートする場合に、ドライブは、最近記録された欠陥情報を読んだ後、新しく発生した欠陥情報を追加して新しいクラスタに記録する方式でアップデートする。従って、追記型媒体にデータを記録するほど欠陥情報の量は、累積し続けてさらに多くなる。
【００３７】
従来、書き換え型媒体のために設けられたＤＭＡは、データ容量が少なくて追記型媒体の欠陥管理のための領域に使用するには問題がある。従って、ＤＭＡより大きいデータ容量を有するＴＤＭＡを別途に追記型媒体に割り当てる。
【００３８】
そして、ＤＭＡには、追記型媒体が最終化されれば、ＴＤＭＡに記録された最終的に有効なＴＤＭＳを記録する。追記型媒体の最終化時に、ＴＤＭＡに記録された最終的に有効なＴＤＭＳをＤＭＡにコピーすることにより、書き換え型媒体のドライブを利用して追記型媒体を使用できるようになり、追記型媒体の初期化過程にかかる時間を減らす。
【００３９】
媒体の初期化過程というのは、リードイン領域またはリードアウト領域に記録された情報を読み込み、媒体をどのように管理してどのようにデータを記録／再生しなければならないのかを把握する動作をいう。従って、リードイン領域またはリードアウト領域に記録された情報の量が多くなるほど、媒体をローディングした後で初期化過程にかかる時間が長くなるという問題が発生する。データ容量の大きいＴＤＭＡに記録された欠陥情報を探索するよりは、ＤＭＡに記録された情報を探索する方がはるかに速度が速い。
【００４０】
図１を参照するに、本実施例では、ＴＤＭＡは、Ｐｒｉｍａｒｙ  ＴＤＭＡ及びＳｅｃｏｎｄａｒｙ  ＴＤＭＡの二領域を含む。Ｐｒｉｍａｒｙ  ＴＤＭＡ及びＳｅｃｏｎｄａｒｙ  ＴＤＭＡは、ＴＤＭＳが記録される領域である。ＴＤＭＳは、前述のように、ＴＤＦＬ及びＴＤＤＳを含んだ概念である。ＴＤＦＬは、欠陥が発生した位置と新しく代替されたスペア領域の位置とを知らせる情報であり、ＴＤＤＳは、そのＴＤＦＬの記録された位置を知らせる情報である。
【００４１】
ＴＤＭＳは、ＴＤＤＳ及びＴＤＦＬ以外にも追記型媒体の全体記録領域を構成するそれぞれのクラスタにデータが記録されているか否かをビット値で表したＳｐａｃｅ  Ｂｉｔ  Ｍａｐ（ＳＢＭ）を含むこともある。ＳＢＭは、別途にクラスタに記録されることもあり、または他のＴＤＭＳと共に１つのクラスタに記録されることもある。
【００４２】
データ領域に設けられたＳｅｃｏｎｄａｒｙ  ＴＤＭＡは、ユーザまたはドライブ製作者の決定によって割り当てられることもあり、またはそうではないこともある。Ｓｅｃｏｎｄａｒｙ  ＴＤＭＡ領域の割り当ていかんをユーザまたはドライブ製作者の決定に任せた理由は、ユーザまたはドライブ製作者をして追記型媒体をさらに弾力的に使用させるためである。
【００４３】
データ領域に割り当てられたＳｐａｒｅ  Ａｒｅａ１及びＳｐａｒｅ  Ａｒｅａ２は、ドライブによる欠陥管理を行う場合、追記型媒体の初期化過程で割り当てられる。
【００４４】
図２は、図１に図示されたＴＤＭＡに記録された情報の一例を表す図である。図２を参照するに、それぞれのＴＤＤＳ及びＴＤＦＬが１つのクラスタに記録されている。
【００４５】
ＴＤＭＡは、ＴＤＤＳとＴＤＦＬとを記録するための領域を区分せずに、アップデートされる情報が発生した順に少なくとも１つのクラスタにアップデートされる情報が記録される。
【００４６】
図３は、図２に図示されたＴＤＤＳのデータ構造の一実施例を表す図である。
【００４７】
ＴＤＤＳ＃ｉ（ｉは、０以上の整数）には、記録条件Ｔｅｓｔ領域の記録可能な位置情報、ＴＤＤＳ＃ｉに対応するＴＤＦＬ＃ｉの位置情報、Ｗｒｉｔｅ  Ｐｒｏｔｅｃｔｉｏｎ情報、何回目のアップデートされたＴＤＤＳであるかを表すＵｐｄａｔｅＣｏｕｎｔ、データ領域に割り当てられたＳｐａｒｅ  Ａｒｅａ１及びＳｐａｒｅ  Ａｒｅａ２の大きさ情報及びＣ＿ｆｌａｇなどが記録される。
【００４８】
ＴＤＤＳに記録される情報のうち、Ｃ＿ｆｌａｇは、“Ｃｏｎｓｉｓｔｅｎｃｙ  Ｆｌａｇ”の略語であり、ＴＤＭＳアップデートサイクルの状態情報に該当する。Ｃ＿ｆｌａｇについては後述する。
【００４９】
一方、別途の図面で示されてはいないが、最初の記録層に内側領域０、データ領域０、外側の領域０が内周から外周の順に設けられており、二番目の記録層に外側の領域１、データ領域１、内側領域１が内周から外周の順に設けられた二重記録層追記型ディスクも単一記録層ディスクに設けられた領域と同じ領域が最初の記録層と二番目の記録層とに設けられる。
【００５０】
二重記録層追記型ディスクの場合にも同様に、前述のような本発明による欠陥管理の適用が可能であり、二番目の記録層のＰｒｉｍａｒｙ  ＴＤＭＡは、最初の記録層のＰｒｉｍａｒｙ  ＴＤＭＡがいずれも記録しつくされた後に使用するが望ましく、二番目の記録層のＳｅｃｏｎｄａｒｙ  ＴＤＭＡもまた最初の記録層のＳｅｃｏｎｄａｒｙ  ＴＤＭＡがいずれも記録しつくされた後に使われるが望ましい。
【００５１】
図４は、本発明による追記型媒体の欠陥管理を行うための装置のブロック図である。図４を参照するに、本実施例による装置は、記録／再生部１、制御部２及びメモリ部３を含む。
【００５２】
記録／再生部１は、制御部２の制御によって本実施例による情報記録媒体の追記型媒体４にデータを記録し、記録されたデータを検証するためにデータを再生する。
【００５３】
制御部２は、追記型媒体４にデータを記録するにあたり、追記型媒体４に設けられたＴＤＭＡを使用して欠陥管理を行い、制御部２は、本発明による追記型媒体４の欠陥管理を行う。
【００５４】
本実施例で、制御部２は、所定単位でデータを追記型媒体４に記録した後、記録されたデータを検証することによって欠陥が発生した部分を捜し出す「記録後検証方式」による。制御部２は、所定単位でユーザデータを記録した後で検証し、欠陥領域がどこに発生しているかを検査する。制御部２は、検査結果明らかになった欠陥領域がどこであるかを知らせるＴＤＦＬ及びＴＤＤＳを生成する。制御部２は、生成されたＴＤＦＬ及びＴＤＤＳをメモリ部３に保存しておいて所定分量集め、追記型媒体４に設けられたＴＤＭＡに記録する。
【００５５】
図５は、図４に図示された本発明による追記型媒体の欠陥管理を行うための装置が具現されたドライブのブロック図である。図５を参照するに、ドライブは、記録／再生部１としてピックアップ１０を備える。追記型媒体４は、ピックアップ１０に装着されている。また、ドライブは、制御部２としてＰＣ  Ｉ／Ｆ  ２１、ＤＳＰ（デジタル信号プロセッサ）２２、ＲＦ  ＡＭＰ  ２３、サーボ２４及びシステムコントローラ２５を備える。メモリ部３は、制御部２のシステムコントローラ２５に設けられている。
【００５６】
記録時、ＰＣ  Ｉ／Ｆ  ２１は、ホスト（図示せず）から記録するデータと共に記録命令を受ける。システムコントローラ２５は、記録に必要な初期化を行う。ＤＳＰ  ２２は、ＰＣ  Ｉ／Ｆ  ２１で受けた記録するデータを、エラー訂正のためにパリティなど付加データを添加してＥＣＣ（エラーコレクションコード）エンコーディングを行った後、ＥＣＣエンコーディングされたデータを既定方式で変調する。ＲＦ  ＡＭＰ  ２３は、ＤＳＰ  ２２から出力されたデータをＲＦ信号に変える。ピックアップ１０は、ＲＦ  ＡＭＰ  ２３から出力されたＲＦ信号を追記型媒体４に記録する。サーボ２４は、システムコントローラ２５からサーボ制御に必要な命令を入力され、ピックアップ１０をサーボ制御する。また、システムコントローラ２５は、記録時に本発明による欠陥管理を行うために、ピックアップ１０で記録されたデータを読み込むことを命令したり、またはＴＤＭＳなど所定情報を記録することを命令する。
【００５７】
さらに、システムコントローラ２５は、ユーザ命令により、または既定の最終化条件が満足されて追記型媒体４を最終化する場合、ＴＤＭＡに最終的に記録されたＴＤＭＳ、すなわちＴＤＤＳ及びＴＤＦＬをＤＭＡに記録することを命令する。
【００５８】
再生時、ＰＣ  Ｉ／Ｆ  ２１は、ホスト（図示せず）から再生命令を受ける。システムコントローラ２５は、再生に必要な初期化を行う。ピックアップ１０は、追記型媒体４にレーザビームを照射し、追記型媒体４から反射されたレーザビームを受光して得られた光信号を出力する。ＲＦ  ＡＭＰ  ２３は、ピックアップ１０から出力された光信号をＲＦ信号に変え、ＲＦ信号から得られた変調されたデータをＤＳＰ  ２２に提供する一方、ＲＦ信号から得られた制御のためのサーボ信号をサーボ２４に提供する。ＤＳＰ  ２２は、変調されたデータを復調し、ＥＣＣエラー訂正を経て得られたデータを出力する。一方、サーボ２４は、ＲＦ  ＡＭＰ  ２３から受けたサーボ信号と、システムコントローラ２５から受けたサーボ制御に必要な命令とを受けてピックアップ１０に対するサーボ制御を行う。ＰＣ  Ｉ／Ｆ  ２１は、ＤＳＰ ２２から受けたデータをホストに送る。また、システムコントローラ２５は、再生時にピックアップ１０をして欠陥管理のために必要な情報を読み込ませるように命令できる。すなわち、システムコントローラ２５は、記録／再生時に全体システムを管理する。
【００５９】
前記のような構成を基に本発明による追記型媒体の欠陥管理方法を説明する。
【００６０】
本発明は、情報記録媒体へのデータ記録中に予測不可能な非正常的事態によってドライブによる欠陥管理が非正常的に終了しているか否かが容易に分かるように、ＴＤＭＳアップデートサイクル及びＴＤＭＳアップデートサイクルの状態を表す情報であるＣｏｎｓｉｓｔｅｎｃｙ  Ｆｌａｇ（以下、Ｃ＿ｆｌａｇとする）の概念を導入する。
【００６１】
図６は、本発明による追記型媒体の欠陥管理のための状態図である。ＴＤＭＳは、大きく二種の状態を有する。一つは、Ｃ＿ｆｌａｇが「１」の値を有するＴＤＭＳアップデートサイクルオープン状態であり、あとの一つは、Ｃ＿ｆｌａｇが「０」の値を有するＴＤＭＳアップデートサイクルクローズ状態である。ＴＤＭＳのアップデート状態によって該当するＣ＿ｆｌａｇ情報を記録することにより、追記型媒体がドライブにローディングされたとき、ＴＤＭＳのアップデート状態情報であるＣ＿ｆｌａｇの値が「１」ならば、ドライブはローディングされた追記型媒体の以前使用中にパワーダウンなどの非正常的な事態が発生し、欠陥管理が正しく行われていないという事実が分かる。
【００６２】
図４及び図６を参照するに、本発明による追記型媒体の欠陥管理方法を詳細に説明する。追記型媒体４がドライブにローディングされれば（オペレーション１０）、ＴＤＭＳアップデートサイクルは、状態１００になる。状態１００で、追記型媒体４の状態は、データが全く記録されていないか、またはすでに記録されたデータが存在して正常に欠陥管理が行われたならば、ＴＤＭＳに含まれて最終的に記録されたＣ＿ｆｌａｇの値は、「０」であるＴＤＭＳアップデートサイクルクローズ状態である。
【００６３】
データが全く記録されていない追記型媒体ならば、制御部２は、追記型媒体の初期化時に、ドライブによる欠陥管理を行うことを表す情報と共に、Ｃ＿ｆｌａｇの値「０」をＰｒｉｍａｒｙ  ＴＤＭＡの最初のクラスタに記録する。図２及び図３を参考にし、前述のようにＣ＿ｆｌａｇは、ＴＤＤＳに含まれて記録される。
【００６４】
本実施例によれば、ホストの命令または記録または再生動作（オペレーション２０）により、ＴＤＭＳアップデートサイクルがオープンになり、ＴＤＭＳアップデートサイクルオープン状態を表すように、Ｃ＿ｆｌａｇの値「１」を含むＴＤＤＳを記録し、ＴＤＭＳアップデートサイクルは、状態１１０になる。
【００６５】
ＴＤＭＳアップデートサイクルがオープンになる２つの場合についてさらに詳細に説明する。
【００６６】
場合１：ホストの命令によりＴＤＭＳアップデートサイクルがオープンになる場合
最終的なＴＤＭＳ、本具体的としては、最終的に記録されたＴＤＤＳに含まれたＣ＿ｆｌａｇの値が「０」である追記型媒体４がローディングされれば、制御部２は、ホスト（図示せず）からＴＤＭＳアップデートサイクルをオープンせよという命令を受信する。ＴＤＭＳアップデートサイクルオープン命令を受信した制御部２は、ＴＤＭＡに最終的に記録されたＴＤＭＳの次の位置にＴＤＭＳアップデートサイクルオープン状態を表すように、Ｃ＿ｆｌａｇの値「１」を含むＴＤＤＳを記録するように記録／再生部１を制御する。ただＣ＿ｆｌａｇの値だけが変化し、ＴＤＦＬのような他の情報は変化がないので、変更されたＣ＿ｆｌａｇの値を含むＴＤＤＳだけを新しいクラスタに記録する。
【００６７】
場合２：記録または再生動作によりＴＤＭＳアップデートサイクルがオープンになる場合
最終的に記録されたＴＤＤＳに含まれたＣ＿ｆｌａｇの値が「０」である追記型媒体４がローディングされ、データ記録または再生準備が終われば、ホストは、データ記録または再生命令を下し、ドライブは、データ記録または再生命令を行う。データ記録または再生の最中にＴＤＭＳのアップデートが要求されれば、制御部２は、ＴＤＭＡに最終的に記録されたＴＤＭＳの次の位置にＴＤＭＳアップデートサイクルオープン状態を表すように、Ｃ＿ｆｌａｇの値「１」を含むＴＤＤＳを記録するように記録／再生部１を制御する。
【００６８】
ＴＤＭＳは、一回または複数回“ｖｅｒｉｆｙ−ａｆｔｅｒ−ｗｒｉｔｅ”後または一定量のデータが記録された後でアップデートされる。ＴＤＭＳのアップデート時に、Ｃ＿ｆｌａｇの値「１」をＴＤＤＳに含めてアップデートする。
【００６９】
追記型媒体４に記録されたデータ再生時にも、特定クラスタに欠陥が存在すると判断されれば、ＴＤＭＳをアップデートする欠陥管理が同様に行われる。
【００７０】
Ｃ＿ｆｌａｇの値が「１」と記録されてＴＤＭＳアップデートサイクルがオープンになった状態１１０の後、データ記録または再生（オペレーション３０）が進められることにより、新しくＴＤＭＳが生成されてメモリ３に保存される。制御部２は、ＴＤＭＡの効率的な使用のために、ホストからのＴＤＭＳアップデート命令（オペレーション５０）によるだけで、ＴＤＭＡにＴＤＭＳを記録してアップデートすることが望ましい。ＴＤＭＳのアップデート時に、Ｃ＿ｆｌａｇの値「１」をＴＤＤＳに含めてアップデートする。
【００７１】
状態１２０は、Ｃ＿ｆｌａｇの値が「１」であるＴＤＭＳアップデートサイクルオープン状態であり、データ記録または再生（オペレーション３０）が進められることにより、ＴＤＭＳのアップデートが可能である状態をいう。状態１２０で、ホストからのＴＤＭＳアップデート命令（オペレーション５０）があれば、制御部２は、ＴＤＭＳをアップデートし、ＴＤＭＳアップデートサイクルは、ＴＤＭＳのアップデート時に、Ｃ＿ｆｌａｇの値「１」をＴＤＤＳに含めてアップデート状態１１０になる。
【００７２】
ホストからのＴＤＭＳアップデートサイクルオープン命令あるいは記録または再生動作により、ＴＤＭＳアップデートサイクルがオープンになった後、追記型媒体４のイジェクト命令や、ホストからＴＤＭＳアップデートサイクルをクローズせよという命令が下されれば（オペレーション４０）、制御部２は、ＴＤＭＳアップデートサイクル状態がクローズ状態であることを表すＣ＿ｆｌａｇの値「０」を含むＴＤＤＳをＴＤＭＡに記録するように、記録／再生部１を制御する。Ｃ＿ｆｌａｇの値「０」を含むＴＤＤＳがＴＤＭＡに記録されることにより、ＴＤＭＳアップデートサイクルは、クローズ状態である状態１３０になる。
【００７３】
ホストから追記型媒体４のイジェクト命令ではないＴＤＭＳアップデートサイクルをクローズせよという命令が下された場合には、状態１３０になった後、状態１００へ戻る。状態１３０で、ホストから追記型媒体４のイジェクト命令が下されれば、追記型媒体４は、イジェクトされる（オペレーション７０）。
【００７４】
もし、状態１３０で、ユーザから追記型媒体４の最終化命令が下されれば、制御部２は、ＴＤＭＡの残りの空領域を“ｆｆｈ”のような所定のデータで満たすように記録／再生部１を制御し、ＴＤＭＡにそれ以上のＴＤＭＳ、すなわちＴＤＤＳ、ＴＤＦＬまたはＳＢＭを記録させない。
【００７５】
前述のように、ＴＤＭＳアップデートサイクルの二種の状態、オープンとクローズ状態を表すＣ＿ｆｌａｇ情報をＴＤＭＳに記録することにより、追記型媒体４の使用中にドライブのパワーダウンなどの非正常的な事故が発生しているか否かを確認できる。すなわち、追記型媒体４の使用中に、ドライブのパワーダウンが発生したとするなら、ＴＤＭＳアップデートサイクルがオープン状態であることを表すＣ＿ｆｌａｇの値がＴＤＭＡに最終的に記録されているのである。
【００７６】
一方、ＴＤＭＳのデータ信頼性向上のために、ＴＤＭＳを重複記録することが望ましい。例えば、ＴＤＭＳのアップデート時に、ＴＤＭＡの連続したクラスタに同じＴＤＭＳを反復して記録するか、またはＰｒｉｍａｒｙ  ＴＤＭＡに新しいＴＤＭＳを記録し、Ｓｅｃｏｎｄａｒｙ  ＴＤＭＡにはその複写本を記録する。
【００７７】
以上、追記型媒体を例にして本発明による欠陥管理方法について説明した。しかし、アップデートサイクル及びアップデートサイクル状態情報を利用して情報記録媒体の欠陥を管理する本発明は、追記型媒体のＴＤＭＳのアップデート時に利用することに限定されるものではない。
【００７８】
すなわち、ローディングされた情報記録媒体に、ドライブがデータ記録または再生中に、データ記録または再生と関連して発生した所定情報を周期的にまたは随時、情報記録媒体に記録する場合、ドライブに供給される電力がダウンするなどの予測不可能な事故によってその情報記録媒体に、前記所定情報が正しく記録されずに非正常的に終了してしまった場合、再びその情報記録媒体をドライブにローディングする場合、ドライブは、最終的なアップデートサイクル状態情報を参照することにより、以前にその情報記録媒体の使用時に、前記所定情報が正しく記録されずに非正常的に終了しているか否かが容易に分かる。
【００７９】
図７は、本発明による情報記録媒体の欠陥管理方法のフローチャートである。図７に図示された情報記録媒体の欠陥管理方法は、図４及び図５に図示したような装置により具現可能である。図４及び図７を参照し、本発明による情報記録媒体の欠陥管理方法を説明する。
【００８０】
情報記録媒体がローディングされた後（ステップ３１０）、データ記録または再生と関連した所定情報のアップデートサイクルが開始される（ステップ３２０）。本実施例による情報記録媒体は、ＤＶＤのような光記録媒体だけではなく、ハードディスクなど多様な類型の情報記録媒体をいう。
【００８１】
また、本実施例によるデータ記録または再生と関連した所定情報とは、情報記録媒体へのデータの記録／再生中に発生する情報であり、後でデータ再生のためにその情報記録媒体に記録しなければならない情報をいう。データ記録または再生と関連した所定情報としては、例えばデータ領域の欠陥情報を挙げることができる。欠陥情報には、前述のように追記型媒体におけるＴＤＭＳだけではなく、上書き可能媒体に設けられたＤＭＡ領域に記録される欠陥情報を含む。
【００８２】
前記所定情報のアップデートサイクルは、ホスト（図示せず）が下したアップデートサイクルオープン命令またはデータ記録または再生命令により開始されうるが、これに限定されるものではない。
【００８３】
前記所定情報のアップデートサイクルが開始されれば、制御部２は、アップデートサイクルオープン状態情報をその情報記録媒体に設けられた所定領域に記録するように記録／再生部１を制御する（ステップ３３０）。アップデートサイクル状態情報は、前述した追記型媒体の場合でのように、Ｃｏｎｓｉｓｔｅｎｃｙ  Ｆｌａｇをおき、Ｃｏｎｓｉｓｔｅｎｃｙ  Ｆｌａｇの値が「１」ならば、アップデートサイクルオープン状態を表し、Ｃｏｎｓｉｓｔｅｎｃｙ  Ｆｌａｇの値が「０」ならば、アップデートサイクルクローズ状態を表す。
【００８４】
制御部２は、記録／再生部１を制御し、その情報記録媒体に／からデータを記録／再生する（ステップ３４０）。
【００８５】
制御部２は、その情報記録媒体に／からデータを記録／再生することにより、アップデートする必要がある前記所定情報を生成する（ステップ３５０）。
【００８６】
制御部２は、前記所定情報のアップデートサイクル終了いかんを判断し（ステップ３６０）、アップデートサイクルが終了していなければ、ステップ３５０で生成された前記所定情報をその情報記録媒体に記録し、アップデートサイクルオープン状態情報もさらに記録する（ステップ３３０）。
【００８７】
一方、アップデートサイクルが終了したならば、ステップ３５０で生成された前記所定情報をその情報記録媒体に記録し、アップデートサイクルクローズ状態情報もさらに記録する（ステップ３７０）。
【００８８】
一方、ステップ３３０またはステップ３７０で、アップデートサイクル状態情報を記録するときに、アップデートサイクル状態情報を前記所定情報に含め、アップデートサイクル状態情報を含んだ前記所定情報をその情報記録媒体に記録することが望ましい。その情報記録媒体がローディングされ、最初にアップデートサイクルオープン状態情報を記録する場合には、以前に記録された所定情報と比較し、アップデートサイクル状態情報だけクローズ状態からオープン状態に変わった所定情報を記録することが望ましい。
【産業上の利用可能性】
【００８９】
以上で説明したように、本発明による情報記録媒体の欠陥管理方法は、ドライブによる情報記録媒体の欠陥管理において、ドライブに供給される電力がダウンするなどの予測不可能な事故により、情報記録媒体にてデータ記録などの動作が非正常的に終了した場合、再びその情報記録媒体をドライブにローディングする場合、ドライブをして以前その情報記録媒体の使用時に電力ダウンなどの非正常的な事故が発生しているか否かを容易に判断させる効果を提供する。
【００９０】
本発明は、図面に示された一実施例を参考に説明されたが、それは例示的なものに過ぎず、本技術分野の当業者ならばこれから多様な変形及び均等な他実施例が可能であるという点が理解されるであろう。従って、本発明の真の技術的保護範囲は、特許請求範囲の技術的思想により決まるものである。
【符号の説明】
【００９１】
１      記録／再生部
２      制御部
３      メモリ部
４      追加型媒体
１０    ピックアップ
２１    ＰＣ  Ｉ／Ｆ
２２    ＤＳＰ
２３    ＲＦ  ＡＭＰ
２４    サーボ
２５    システムコントローラ
【図１】
2010205408.tif 000003
【図２】
2010205408.tif 000004
【図３】
2010205408.tif 000005
【図４】
2010205408.tif 000006
【図５】
2010205408.tif 000007
【図６】
2010205408.tif 000008
【図７】
2010205408.tif 000009